(57)【要約】【課題】コンクリート構造物の内部に発生した浸水を容易に視認できるようにする。【解決手段】コンクリート構造物１の内部（ひび割れＣが生じやすい位置）にはモニター用のコンクリート部２を配置し、該コンクリート構造物１の表面から該モニター用のコンクリート部２まではパイプ部材３を配置して視認できるようにしておく。該モニター用のコンクリート部２の圧縮強度は、その周囲のコンクリートよりも低く設定されているため、該周囲のコンクリートでひび割れＣが発生すると該モニター用のコンクリート部２まで伝播する。そして、該ひび割れＣに雨水等が浸入するとパイプ部材３の底部に水が溜まることとなる。このため、コンクリート構造物１の内部に発生した浸水を外部から容易に視認できることとなる。【選択図】図１
2015117532.tif 000002
【特許請求の範囲】
【請求項１】
ひび割れに起因する浸水を検知する機構を備えたコンクリート構造物を構築する、コンクリート構造物の構築方法において、
ひび割れ検知用のモニターコンクリート部を前記コンクリート構造物の内部となる所定の位置に配置する工程と、
前記コンクリート構造物を構築した後にその外部から前記モニターコンクリート部を視認できるように該コンクリート構造物の表面が配置される位置から前記モニターコンクリート部まで視認用のパイプ部材を配置する工程と、
該パイプ部材の開口の側から水や異物が浸入しないように該開口を蓋部材で閉塞する工程と、
該パイプ部材の内の少なくとも前記開口及び前記蓋部材が露出された状態で前記モニターコンクリート部及び前記パイプ部材が埋設されるように生コンクリートを打設して前記コンクリート構造物を構築する工程と、
を備え、
該モニターコンクリート部の圧縮強度が、該モニターコンクリート部の周囲のコンクリートの圧縮強度と同等か低く設定された、
ことを特徴とする、コンクリート構造物の構築方法。
【請求項２】
前記モニターコンクリート部は、前記パイプ部材の内部に開口するように上下方向に穿設された少なくとも１つの縦孔を有し、
該モニターコンクリート部の周囲のコンクリートにて発生したひび割れが該モニターコンクリート部にまで伝播した場合に、該ひび割れが前記縦孔を介して前記パイプ部材に連通するように構成された、
ことを特徴とする請求項１に記載の、コンクリート構造物の構築方法。
【請求項３】
前記モニターコンクリート部を配置する工程及び前記パイプ部材を配置する工程を複数回実施して、該モニターコンクリート部及び該パイプ部材を複数組配置し、
該複数のパイプ部材のいずれかで浸水を確認した場合には、該浸水が確認されたパイプ部材に隣接するパイプ部材からグラウトを注入できるようにする、
ことを特徴とする請求項１又は２に記載の、コンクリート構造物の構築方法。
【発明の詳細な説明】
【技術分野】
【０００１】
本発明は、ひび割れに起因する浸水を検知する機構を備えたコンクリート構造物を構築する、コンクリート構造物の構築方法に関する。
【背景技術】
【０００２】
従来、コンクリート構造物の内部にひび割れや該ひび割れに伴う浸水が発生しにくいように施工段階にて種々の対策がなされている。また、該コンクリート構造物を構築した後にひび割れの検知や浸水の検知を行う方法についても種々の方法が提案されている（例えば、特許文献１及び２参照）。
【０００３】
図２は、コンクリート構造物の内部に生じるひび割れを検知する従来のシステムの構成の一例を示す模式図であり、図中の符号１００は、コンクリート構造物１０１の内部に埋め込まれたひび割れセンサを示し、符号１０２は、該センサ１００からのデータの受信等を行う受信機を示し、符号１０３は、該データの解析を行うパソコンを示している。また、図３は、コンクリート構造物の内部に生じる浸水を検知する従来のシステムの構成の一例を示す模式図であり、図中の符号２０１は、コンクリート構造物（トンネルの天井）を示し、符号２０１ａは、該コンクリート構造物２０１に生じたひび割れを示し、符号２００は、該ひび割れ２０１ａからの浸水（漏水）を電気的に検知するセンサを示している。
【先行技術文献】
【特許文献】
【０００４】
【特許文献１】特開２００３−１０７０３０号公報
【特許文献２】特開２０１３−１６７５５１号公報
【発明の概要】
【発明が解決しようとする課題】
【０００５】
しかしながら、図２や図３に示すように電気的にひび割れや浸水を検知するものでは、断線等の故障の心配がある。
【０００６】
本発明は、上述の問題を解消することのできる、コンクリート構造物の構築方法を提供することを目的とするものである。
【課題を解決するための手段】
【０００７】
請求項１に係る発明は、図１に例示するものであって、ひび割れ（Ｃ）に起因する浸水を検知する機構を備えたコンクリート構造物（１）を構築する、コンクリート構造物の構築方法において、
ひび割れ検知用のモニターコンクリート部（２）を前記コンクリート構造物（１）の内部となる所定の位置に配置する工程と、
前記コンクリート構造物（１）を構築した後にその外部から前記モニターコンクリート部（２）を視認できるように該コンクリート構造物（１）の表面が配置される位置から前記モニターコンクリート部（２）まで視認用のパイプ部材（３）を配置する工程と、
該パイプ部材（３）の開口（３ａ）の側から水や異物が浸入しないように該開口（３ａ）を蓋部材（不図示）で閉塞する工程と、
該パイプ部材（３）の内の少なくとも前記開口（３ａ）及び前記蓋部材が露出された状態で前記モニターコンクリート部（２）及び前記パイプ部材（３）が埋設されるように生コンクリートを打設して前記コンクリート構造物（１）を構築する工程と、
を備え、
該モニターコンクリート部（２）の圧縮強度が、該モニターコンクリート部（２）の周囲のコンクリートの圧縮強度と同等か低く設定されたことを特徴とする。
【０００８】
請求項２に係る発明は、請求項１に係る発明において、前記モニターコンクリート部（２）が、前記パイプ部材（３）の内部に開口するように上下方向に穿設された少なくとも１つの縦孔（不図示）を有し、
該モニターコンクリート部（２）の周囲のコンクリートにて発生したひび割れ（Ｃ）が該モニターコンクリート部（２）にまで伝播した場合に、該ひび割れ（Ｃ）が前記縦孔を介して前記パイプ部材（３）に連通するように構成されたことを特徴とする。
【０００９】
請求項３に係る発明は、請求項１又は２に係る発明において、前記モニターコンクリート部（２）を配置する工程及び前記パイプ部材（３）を配置する工程を複数回実施して、該モニターコンクリート部（２）及び該パイプ部材（３）を複数組配置し、
該複数のパイプ部材（３）のいずれかで浸水を確認した場合には、該浸水が確認されたパイプ部材（３）に隣接するパイプ部材（３）からグラウトを注入できるようにすることを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１及び２に係る発明によれば、コンクリート構造物の外部から容易に浸水の有無を検知することができる。また、電気的なセンサを使用していないので断線等の心配もない。
【００１２】
請求項３に係る発明によれば、グラウトを注入していないパイプ部材を使ってさらなる浸水の有無を検知することができる。
【図面の簡単な説明】
【００１３】
【図１】図１は、本発明に係るコンクリート構造物の構築方法の一例を示す斜視図である。
【図２】図２は、コンクリート構造物の内部に生じるひび割れを検知する従来のシステムの構成の一例を示す模式図である。
【図３】図３は、コンクリート構造物の内部に生じる浸水を検知する従来のシステムの構成の一例を示す模式図である。
【発明を実施するための形態】
【００１４】
以下、図１に沿って、本発明の実施の形態について説明する。
【００１５】
本発明に係るコンクリート構造物の構築方法は、ひび割れに起因する浸水を検知する機構を備えたコンクリート構造物を構築する方法である。そして、該構築方法は、
・  ひび割れ検知用のコンクリート部（以下、“モニターコンクリート部”とする）２を前記コンクリート構造物１の内部となる所定の位置（そのコンクリート構造物においてひび割れＣが発生し易い部分）に配置する工程と、
・  前記コンクリート構造物１を構築した後にその外部から前記モニターコンクリート部２を視認できるように該コンクリート構造物１の表面（或いは表面の近傍）が配置される位置から前記モニターコンクリート部２まで視認用のパイプ部材３を配置する工程と、
・  該パイプ部材３の開口３ａの側から水や異物が浸入しないように該開口３ａを蓋部材（不図示）で閉塞する工程と、
・  該パイプ部材３の内の少なくとも前記開口３ａ及び前記蓋部材が露出された状態で前記モニターコンクリート部２及び前記パイプ部材３が埋設されるように生コンクリートを打設して前記コンクリート構造物１を構築する工程と、
からなり、また、該モニターコンクリート部２の圧縮強度は、該モニターコンクリート部２の周囲のコンクリートの圧縮強度と同等か低く設定されている。この場合、前記パイプ部材３は樹脂製であっても良いが、コンクリート構造物１の強度維持の見地からは金属製（鉄鋼製）が好ましい。
【００１６】
本発明によれば、前記モニターコンクリート部２の圧縮強度は、その周囲のコンクリートの圧縮強度と同等か低く設定されているため、後者（つまり、前記モニターコンクリート部２の周囲のコンクリート）でひび割れＣが発生すると該ひび割れＣは図１に示すように前記モニターコンクリート部２にまで到達し得る。そして、該ひび割れＣに雨水等が浸入すると前記パイプ部材３の底部に水が溜まり易いこととなる。したがって、コンクリート構造物１の外部から容易に浸水の有無を検知することができる。また、本発明によれば、電気的なセンサを使用していないので断線等の心配もない。
【００１７】
この場合、前記モニターコンクリート部２は、前記パイプ部材３の内部に開口するように上下方向に穿設された少なくとも１つの縦孔（不図示）を有し、該モニターコンクリート部２の周囲のコンクリートにて発生したひび割れＣが該モニターコンクリート部２にまで伝播した場合に、該ひび割れＣが前記縦孔を介して前記パイプ部材３に連通するように構成すると良い。そのようにした場合には、該ひび割れＣに伴う浸水の発生をより正確に検知できる。
【００１８】
また、前記モニターコンクリート部２を配置する工程及び前記パイプ部材３を配置する工程を複数回実施して、該モニターコンクリート部２及び該パイプ部材３を複数組配置し、該複数のパイプ部材３のいずれかで浸水を確認した場合には、該浸水が確認されたパイプ部材３に隣接するパイプ部材３からグラウトを注入できるようにするようにしても良い。そのようにした場合には、グラウトを注入していないパイプ部材３を使ってさらなる浸水の有無を検知することができる。
【符号の説明】
【００１９】
１                    コンクリート構造物
１ａ                  コンクリート構造物の穴
２                    モニターコンクリート部
３                    パイプ部材
３ａ                  パイプ部材の開口
【図１】
2015117532.tif 000003
【図２】
2015117532.tif 000004
【図３】
2015117532.tif 000005